(57)【要約】【課題】暗い室内においても撮影範囲、撮影回数に制限されることなくカメラ付き携帯電話機によるストロボ撮影を可能にするクレードル装置を提供する。【解決手段】保持部材１０の側面には、ＤＣ電源入力コネクタ２２が設けられている。このＤＣ電源入力コネクタ２２は、ＡＣアダプタを介して家庭用のコンセントに接続される。クレードル装置９は携帯電話機３０を安定して保持する台として機能すると共に、充電機能も果す。また、携帯電話機３０が装着された際には、ズームレンズ４０ａを被写体に向けて保持する三脚的な機能も果す。さらに、クレードル装置本体１１ａの前方側面には、ストロボ２３が設けられている。このストロボ２３は、携帯電話機３０が装着された状態においてストロボ撮影する際に発光する。【選択図】図１
2007104363.tif 000002
【特許請求の範囲】
【請求項１】
携帯電話機が着脱自在に装着され、この携帯電話機に対して充電を行うクレードル装置において、
被写体に対して照明光を照射する照明手段が設けられていることを特徴とするクレードル装置。
【請求項２】
前記携帯電話機を保護する保護カバーが設けられていることを特徴とする請求項１記載のクレードル装置。
【請求項３】
外部電源からの電源供給によって蓄電される蓄電手段が設けられていることを特徴とする請求項１または請求項２記載のクレードル装置。
【請求項４】
振動を検出する振動検出手段と、前記携帯電話機の充電中に前記振動検出手段によって所定以上の振動が検出された場合に外部電源からの電気供給の有無を判定し、外部電源からの電気供給が止まっていると判定された時に前記蓄電手段による電気供給に切り換える制御手段と、が設けられていることを特徴とする請求項３記載のクレードル装置。
【請求項５】
前記振動検出手段によって所定以上の振動が検出された時に前記携帯電話機に検出信号を出力する出力手段が設けられていることを特徴とする請求項４記載のクレードル装置。
【請求項６】
少なくとも撮影手段と録音手段と予め文字情報を記憶させておく文字情報記憶手段と、を有する携帯電話機において、
請求項５記載のクレードル装置から前記検出信号を取得した時に、前記撮影手段によって撮影を実行し、少なくとも撮影画像と音声情報と文字情報と、のいずれか一つを予め指定されたアドレスに送信することを特徴とする携帯電話機。
【請求項７】
前記撮影手段はズームレンズを備え、前記検出信号を取得した場合、撮影を行う前に前記ズームレンズをＷＩＤＥ端またはＴＥＬＥ端に移動させることを特徴とする請求項６記載の携帯電話機。
【請求項８】
所定時間毎に撮影を実行することを特徴とする請求項６または請求項７記載の携帯電話機。
【請求項９】
人物の有無を検出する人物検出手段を備え、
前記検出信号を取得して、前記人物検出手段によって人物が検出された時に予め指定されたアドレスに警告発信することを特徴とする請求項６ないし請求項８いずれか記載の携帯電話機。
【請求項１０】
請求項８または請求項９記載の携帯電話機に用いられるクレードル装置において、
クレードル装置本体と、このクレードル装置本体を回転自在に保持する保持部材と、このクレードル装置本体を回転させる回転駆動手段と、から構成されていることを特徴とする請求項５記載のクレードル装置。
【発明の詳細な説明】
【技術分野】
【０００１】
本発明は、クレードル装置及び携帯電話機に関する。
【背景技術】
【０００２】
近年、携帯電話機は様々な機能を備えるよう改良が重ねられた結果、通話、通信機能以外に撮影機能を有したものが主流となっている。また、これらカメラ付き携帯電話機の中には室内などの暗い場所での撮影に対応させるため、ストロボを内蔵させたものが知られている（例えば、特許文献１参照）。
【特許文献１】特開２００１−３２０６２２号公報
【発明の開示】
【発明が解決しようとする課題】
【０００３】
しかしながら、ストロボによる発光には多量の電力を消費することから高電圧、高容量の電解コンデンサの充電電荷量を確保する必要があり、携帯電話機内蔵の電池の容量では発光回数が限られるという問題や、また、携帯電話機は携帯性が重視されるためコンパクトである必要があり、その結果ストロボは簡易的なものとなり、発光により照らすことができるのは至近距離に限られるという問題があった。
【０００４】
本発明は、上記課題を解決するためのものであり、暗い室内においても撮影範囲、撮影回数に制限されることなくカメラ付き携帯電話機を用いたストロボ撮影を可能にするクレードル装置及びこれに用いられる携帯電話機を提供する。
【課題を解決するための手段】
【０００５】
本発明は、上記課題を解決するためのものであり、本発明のクレードル装置は、携帯電話機が着脱自在に装着され、この携帯電話機に対して充電を行うクレードル装置であって、被写体に対して照明光を照射する照明手段が設けられていることを特徴とするものである。
【０００６】
なお、クレードル装置には、携帯電話機を保護する保護カバーが設けられていることが好ましい。
【０００７】
また、クレードル装置には、外部電源からの電源供給によって蓄電される蓄電手段が設けられていることが好ましい。
【０００８】
さらに、クレードル装置には、振動を検出する振動検出手段と、携帯電話機の充電中に振動検出手段によって所定以上の振動が検出された場合に外部電源からの電源供給の有無を判定し、外部電源からの電気供給が止まっていると判定された時に蓄電手段による電気供給に切り換える制御手段と、が設けられていることが好ましい。
【０００９】
さらに、クレードル装置には、振動検出手段によって所定以上の振動が検出された時に携帯電話機に検出信号を出力する出力手段が設けられていることが好ましい。
【００１０】
本発明の携帯電話機は、少なくとも撮影手段と録音手段と予め文字情報を記憶させておく文字情報記憶手段と、を有する携帯電話機であって、クレードル装置から検出信号を取得した時に、撮影手段によって撮影を実行し、少なくとも撮影画像と音声情報と文字情報と、のいずれか一つを予め指定されたアドレスに送信することができることが好ましい。
【００１１】
なお、携帯電話機の撮影手段はズームレンズを備え、検出信号を取得した場合、撮影を行う前にズームレンズをＷＩＤＥ端またはＴＥＬＥ端に移動させることができることが好ましい。
【００１２】
また、携帯電話機は、所定時間毎に撮影を実行できることが好ましい。
【００１３】
さらに、携帯電話機は、人物の有無を検出する人物検出手段を備え、検出信号を取得して、人物検出手段によって人物が検出された時に予め指定されたアドレスに警告発信できることが好ましい。
【００１４】
なお、本発明のクレードル装置は、クレードル装置本体と、このクレードル装置本体を回転自在に保持する保持部材と、このクレードル装置本体を回転させる回転駆動手段と、から構成されていることが好ましい。
【発明の効果】
【００１５】
本発明のクレードル装置によれば、クレードル装置に被写体に対して照明光を照射する照明手段が設けられていることにより、暗い室内においても撮影範囲、撮影回数に制限されることなくカメラ付き携帯電話機を用いたストロボ撮影ができる。
【００１６】
また、クレードル装置に携帯電話機を保護する保護カバーが設けられていることにより、落下物などによる携帯電話機の破損を防止することができる。
【００１７】
さらに、クレードル装置に、外部電源からの電源供給によって蓄電される蓄電手段と、振動を検出する振動検出手段と、携帯電話機の充電中に振動検出手段によって所定以上の振動が検出された場合に外部電源からの電気供給の有無を判定し、外部電源からの電気供給が止まっていると判定された時に蓄電手段による電気供給に切り換える制御手段と、が設けられていることにより、地震による停電時においてもカメラ付き携帯電話機を用いたストロボ撮影ができる。
【００１８】
さらに、クレードル装置に、所定以上の振動が検出された時に携帯電話機に検出信号を出力する出力手段が設けられていることにより、震災による状況を自動撮影できる。
【００１９】
本発明の携帯電話機によれば、クレードル装置から検出信号を取得した時に、撮影手段によって撮影を実行し、少なくとも撮影画像と音声情報と文字情報と、のいずれか一つを予め指定されたアドレスに送信することにより、震災による状況を例えば家族といった特定の者に知らせることができる。
【００２０】
また、携帯電話機の撮影手段にズームレンズを備えたことにより、検出信号を取得した場合、撮影を行う前にズームレンズをＷＩＤＥ端またはＴＥＬＥ端に移動させることができ、広い範囲または狙った被写体を大きく撮影することができる。
【００２１】
さらに、所定時間毎に撮影を実行できることにより、より詳細な情報を得ることができる。
【００２２】
さらに、携帯電話機に人物の有無を検出する人物検出手段を備えたことにより、検出信号を取得して、人物検出手段によって人物が検出された時に予め指定されたアドレスに警告発信することができ、震災現場に人がいることを例えば家族といった特定の者に知らせることができる。
【００２３】
本発明のクレードル装置によれば、クレードル装置本体と、このクレードル装置本体を回転自在に保持する保持部材と、このクレードル装置本体を回転させる回転駆動手段と、から構成されていることより、広い範囲の撮影及び人物検出ができる。
【発明を実施するための最良の形態】
【００２４】
第１の実施形態であるクレードル装置９は、図１及び図２に示すように、カメラ付き携帯電話機（以下、携帯電話機と称する。）３０が着脱自在に装着できるものである。
【００２５】
クレードル装置９は、保持部材１０とクレードル装置本体１１ａと保護カバー１２ａと、からなる。円盤状に形成された、保持部材１０とクレードル装置本体１１ａと、は図３に示すように、保持部材１０の上部に設けられたリングギヤ２６の上面中央に形成された軸受け２６ａに、クレードル装置本体１１ａの下面中央に設けられた回転軸１３を上から挿入することで回転自在に繋がれている。また、クレードル装置本体１１ａの後方側面に設けられた連結軸受け１４ａ、１４ｂと保護カバー１２ａの後方下端に設けられた連結部材１５とシャフト１６と、により蝶番１７が形成されており、クレードル装置本体１１ａと保護カバー１２ａと、は蝶番１７により回転自在に繋がれている。この保護カバー１２ａは円錐の頂点付近が球面状になった形状の筐体であり、底面から前面に渡り開口１８が設けられている。
【００２６】
図１に示すように、クレードル装置本体１１ａの上面には、携帯電話機３０が装着される装着部２０が設けられている。装着部２０は携帯電話機本体３１底面の外周に合わせた凹形状に形成されており、この装着部２０に携帯電話機本体３１底面の位置を合わせて置くことによって、携帯電話機３０が所定の角度に位置決めされて支持される。
【００２７】
装着部２０の内部には、接続端子２１が設けられている。この接続端子２１は、装着部２０に携帯電話機３０が装着された時、携帯電話機３０に設けられた接続コネクタ４２に嵌合して、携帯電話機３０とクレードル装置９と、とが電気的に接続される。
【００２８】
保持部材１０の側面には、ＤＣ電源入力コネクタ２２が設けられている。このＤＣ電源入力コネクタ２２は、ＡＣアダプタ（図示せず）を介して家庭用のコンセントに接続される。クレードル装置９は携帯電話機３０を安定して保持する台として機能すると共に、充電機能も果す。また、携帯電話機３０が装着された際には、ズームレンズ４０ａを被写体に向けて保持する三脚的な機能も果す。
【００２９】
クレードル装置本体１１ａの前方側面には、ストロボ（照明手段）２３が設けられている。このストロボ２３は、携帯電話機３０が装着された状態においてストロボ撮影する際に発光する。
【００３０】
図３に示すように、クレードル装置本体１１ａ内部側面にはモータ（回転駆動手段）２４が設けられ、クレードル装置本体１１ａ下面に設けられた孔からはモータ２４の回転軸２４ａが突出されている。回転軸２４ａにはギヤ２５が設けられている。このギヤ２５は、保持部材１０の上部に設けられたリングギヤ２６と噛合している。モータ２４の回転運動によりギヤ２５が回転軸２４ａを中心として自転された時、リングギヤ２６が設けられている保持部材１０は下面が設置面と接触しているため、リングギヤ２６は回転せず、ギヤ２５が回転軸１３を中心にリングギヤ２６の外周を沿うように公転する。ギヤ２５が設けられているモータ２４は、ギヤ２５と一体となって回転軸１３を中心に公転し、モータ２４が設けられているクレードル装置本体１１ａは、回転軸１３を中心に自転する。
【００３１】
本発明の携帯電話機３０は、携帯電話機本体３１とカメラ部３２とからなる。携帯電話機本体３１は薄型の長矩形状に形成されており、前面には、操作部（図示せず）と液晶表示パネル（図示せず）と、の他に、受話スピーカ３３（図５参照）と送話マイク３４（図５参照）と、が設けられている。また、携帯電話機３０の上端部には、通信アンテナ３５が設けられている。
【００３２】
受話スピーカ３３（図５参照）は通信相手からの音声と着信音とを発し、送話マイク３４（図５参照）はユーザの発する音声とその他の携帯電話周辺の音を集音する。
【００３３】
カメラ部３２は、携帯電話機本体３１背面に内蔵されており、カメラ部３２の光学系を構成する、ズームレンズ４０ａとこれを保持するレンズ鏡筒４１と、が背面から露呈している。
【００３４】
携帯電話機本体３１底面には、接続コネクタ４２が設けられている。また、背面におけるカメラ部３２の下方部には、バッテリ室にアクセスするための開口部４３が設けられている。この開口部４３は、蓋部材４４によって開閉される。バッテリ室には充電可能な２次電池としてのバッテリ４５がセットされる。
【００３５】
クレードル装置９に携帯電話機３０を装着した状態の電気的構成を示すブロック図を図５に示す。クレードル装置９は、ＣＰＵ５０によって各種回路が全体的に制御されている。ＣＰＵ５０には、ＤＣ電源入力コネクタ２２、ストロボ２３、モータ２４、充電回路５１、蓄電回路（蓄電手段）５２、振動検出部（振動検出手段）５３、電源制御部（制御手段）５６、インタフェース（出力手段）５４、メモリ５５が接続されている。
【００３６】
携帯電話機３０は、ＣＰＵ６０によって各種回路が全体的に制御されている。ＣＰＵ６０には、カメラ部３２、接続コネクタ４２、メモリ（文字情報記憶手段）６１、無線部６２、タイマー機能６３が接続されている。また、クレードル装置９と携帯電話機３０と、は接続端子２１と接続コネクタ４２と、で接続されている。
【００３７】
ＤＣ電源入力コネクタ２２より得られる電気は、充電回路５１を介して、蓄電回路５２にも蓄電されるとともにクレードル装置９の各部へ電源を供給している。また、ＤＣ電源入力コネクタ２２より得られる電気は、充電回路５１と接続端子２１と、を介して携帯電話機３０のバッテリ４５に蓄電される。バッテリ４５に蓄電された電気は携帯電話機３０の各部へ電源を供給している。
【００３８】
カメラ部３２は、ズームレンズ４０ａ、フォーカスレンズ４０ｂ、Ｉｒフィルタ６４、ＣＣＤイメージセンサ６５、アンプ６６、Ａ／Ｄコンバータ６７からなる。ズームレンズ４０ａの背後にフォーカスレンズ４０ｂが、フォーカスレンズ４０ｂの背後にＩｒフィルタ６４が、Ｉｒフィルタ６４の背後にＣＣＤイメージセンサ６５が、それぞれ配置されている。Ｉｒフィルタ６４には赤外線を遮断する機能があり、Ｉｒフィルタ６４によりＣＣＤイメージセンサ６５への赤外線の進入が遮断されている。ＣＣＤイメージセンサ６５は、被写体を撮像する撮像手段であり、周知のようにマトリクス状に配列された多数の受光素子からなる。
【００３９】
ＣＰＵ６０より撮影の指令を受けたＣＣＤイメージセンサ６５は、被写体光を電気信号に光電変換し、これをアナログ撮像信号として出力する。アナログ撮像信号は、アンプ６６によって増幅されてＡ／Ｄコンバータ６７に送られる。Ａ／Ｄコンバータ６７は、アナログ撮像信号をデジタル変換して画像データを出力する。
【００４０】
また、カメラ部３２においてＣＣＤイメージセンサ６５の前面に配置されているＩｒフィルタ６４を退避させることにより、赤外線をＣＣＤイメージセンサ６５に入力させることができ、カメラ部３２を周知の赤外線センサとして用いることもできる。
【００４１】
無線部６２には、通信アンテナ３５が接続されている。無線部６２は、メモリ５５、６１に記録された画像情報と音声情報と文字情報と、などを呼び出し、これら情報を通信アンテナ３５から指定されたアドレスに送る。また、無線部６２は、カメラ部３２において撮影された画像をＣＰＵ６０を介して直接、通信アンテナ３５から指定されたアドレスに送る。
【００４２】
以下、上記構成のうち、電気供給に関する作用について説明する（図６）。振動検出部５３によって所定以上の振動が検出された時、振動検出部５３からＣＰＵ５０に検出信号が送られる。検出信号を受けたＣＰＵ５０は、ＤＣ電源入力コネクタ２２から充電回路５１への電気供給がなされているかの確認をし、ＤＣ電源入力コネクタ２２からの電気供給が止まっている時には、電源制御部５６によって蓄電回路５２からの電気供給へと切り換えさせる。これにより外部電源からの電気供給が止まることがあっても、独立して可動することができる。
【００４３】
以下、上記構成のうち、撮影などに関する作用について説明する（図７）。振動検出部５３から検出信号を受けたＣＰＵ５０は、撮影を行うためストロボ２３に対し発光準備の指令を出し、且つ、インタフェース５４と接続端子２１とを介して携帯電話機３０に対して撮影の指令を出す。
【００４４】
接続コネクタ４２を通じてクレードル装置９からの撮影の指令を受けた携帯電話機３０のＣＰＵ６０は、カメラ部３２に対し撮影の指令を出す。ＣＰＵ６０から撮影の指令を受けたカメラ部３２は、焦点調整を行った後、ストロボ２３の発光と同期して撮影する。
【００４５】
カメラ部３２より出力された画像データは、メモリ６１に記録されている住所、氏名、その他の文字情報と音声情報と共に無線部６２に送られ、無線部６２に接続された通信アンテナ３５から周知の携帯電話回線を介して予め指定されたアドレスに送信される。また、出力された画像データは、接続コネクタ４２を介してクレードル装置９に送られ、インタフェース５４を介してメモリ５５に記録される。
【００４６】
撮影の後、ＣＰＵ６０は、Ｉｒフィルタ６４をＣＣＤイメージセンサ６５の前面から退避させてカメラ部３２を人物検出手段である周知の赤外線センサとする。
【００４７】
モータ２４を駆動させることにより、クレードル装置本体１１ａは回転軸１３を中心に回転する。クレードル装置本体１１ａの装着部２０に装着された人物検出手段であるカメラ部３２を有する携帯電話機３０は、クレードル装置本体１１ａと一体となって回転軸１３を中心に回転する。これにより、クレードル装置９周囲の人物の有無を検出することができる。
【００４８】
人物検出手段であるカメラ部３２により人物が検出されると、ＣＰＵ６０は、無線部６２に対し警告信号を送る。この警告信号を受けた無線部６２は、通信アンテナ３５から周知の携帯電話回線を介して予め指定されたアドレスに対し、例えばブザーによる警報を発するよう指令を出す。
【００４９】
上記信号を送ると共に携帯電話機３０のＣＰＵ６０は、人物を被写体とした撮影を行うため、カメラ部３２と、クレードル装置９のＣＰＵ５０と、に対し信号を出す。この信号を受けたカメラ部３２は、Ｉｒフィルタ６４をＣＣＤイメージセンサ６５の前面に戻し、撮影機能を持たせる。また、接続端子２１を介して上記信号を受けたクレードル装置９のＣＰＵ５０は、クレードル装置本体１１ａを回転させていたモータ２４の駆動を止める。
【００５０】
なお、人物が検出されない場合でも所定時間の経過によりクレードル装置本体１１ａの回転を止め、撮影を開始するようタイマー機能６３によって制御されている。
【００５１】
電源供給がある限り、引き続き撮影と、画像その他の情報の送信と、人物検出と、を繰り返すことで、災害情報を逐次外部へ知らせることができる。
【００５２】
第２の実施形態であるクレードル装置７０は、図４に示すように、携帯電話機３０が着脱自在に装着できるものであり、第１の実施形態であるクレードル装置９とは、保護カバーと、保護カバーが取り付けられるクレードル装置本体と、が異なるが、その他の構成は全て同じである。
【００５３】
クレードル装置本体１１ｂの上面外周近傍には、アーチ形状の保護カバー１２ｂを装着させるための円形の装着溝７１がある。この装着溝７１に、保護カバー１２ｂの下面に設けられている突起部７２ａ、７２ｂを上から挿入することで保護カバー１２ｂをクレードル装置本体１１ｂに回転自在に装着することができる。なお、同じ部品については同一の符号を付して詳しい説明を省略する。
【００５４】
なお、上記実施形態において、カメラ部３２から出力された画像データがクレードル装置９、７０のメモリ５５に記録される場合を例に説明したが、携帯電話機３０のメモリ６１に記録されるのでも良い。この場合、カメラ部３２から出力された画像データは、ＣＰＵ６０を介して直接メモリ６１に記録される。
【００５５】
また、上記実施形態において、住所、氏名、その他の文字情報が携帯電話機３０のメモリ６１に記録されている場合を例に説明したが、クレードル装置９、７０のメモリ５５に記録されていても良い。この場合、メモリ５５に記録された情報は、インタフェース５４と接続端子２１と、を介して携帯電話機３０に送られる。接続コネクタ４２から得られるこれらの情報は、ＣＰＵ６０を介して無線部６２に送られる。
【００５６】
さらに、上記実施形態において、人物の有無を検出するためにＩｒフィルタ６４をＣＣＤイメージセンサ６５の前面から退避させてカメラ部３２を赤外線センサとする場合を例に説明したが、これは室内などの暗い場所での使用を想定しているのであり、暗くない場所での使用の場合は、Ｉｒフィルタを退避させなくても人物の有無を検出できる。
【図面の簡単な説明】
【００５７】
【図１】本発明を実施した第１の実施形態であるクレードル装置と携帯電話機との外観斜視図である。
【図２】第１の実施形態であるクレードル装置に携帯電話機が装着された外観斜視図である。
【図３】クレードル装置の断面図である。
【図４】第２の実施形態であるクレードル装置と携帯電話機との外観斜視図である。
【図５】クレードル装置に携帯電話機を装着した状態の電気的構成を示すブロック図である。
【図６】電源供給に関する作用のフローチャートである。
【図７】撮影などに関する作用のフローチャートである。
【符号の説明】
【００５８】
９、７０  クレードル装置
１０  保持部材
１１ａ、１１ｂ  クレードル装置本体
１２ａ、１２ｂ  保護カバー
１８  開口
２０  装着部
２１  接続端子
２２  ＤＣ電源入力コネクタ
２３  ストロボ
２５  ギヤ
２６  リングギヤ
３０  カメラ付き携帯電話機
３１  携帯電話機本体
３２  カメラ部
３５  通信アンテナ
４０ａ  ズームレンズ
４１  レンズ鏡筒
４２  接続コネクタ
【図１】
2007104363.tif 000003
【図２】
2007104363.tif 000004
【図３】
2007104363.tif 000005
【図４】
2007104363.tif 000006
【図５】
2007104363.tif 000007
【図６】
2007104363.tif 000008
【図７】
2007104363.tif 000009